(57)【要約】      （修正有）【課題】ハードルの高さ調節と転倒力条件を満たすことができる陸上競技用ハードルの提供。【解決手段】頂部バーの高さを複数段調節可能とした陸上競技用ハードルにおいて、下端をハードル基部の接続金具に固定した中空の下部固定柱と、該固定柱に摺動自在に嵌合した中空の上部スライド柱で支柱を構成し、前記接続金具内のシャフトの両端と下部固定柱内の上端方部に、それぞれギヤーを取り付け、該ギヤー間に架設したチェーン或いはタイミングベルトの適所と上部スライド柱の芯材の下端方部とを固定具で連結するとともに、接続金具に固定された中空の両脚内の先端方部にギヤーを取り付け、このギャーと、前記接続金具内のギャーに架設したチェーン或いはタイミングベルトの適所に、適宜な自重を有するバランサーを付設する。【選択図】図２
0003124567.tif 000002
【実用新案登録請求の範囲】
【請求項１】
頂部バー１の高さを複数段調節可能とした陸上競技用ハードルにおいて、下端をハードル基部の接続金具５に固定した中空の下部固定柱４と、該固定柱４に摺動自在に嵌合した中空の上部スライド柱２で支柱を構成し、前記接続金具５内のシャフト１６の両端にギヤー１５を、下部固定柱４内の上端方部にギヤー１９を取り付け、これらのギヤー間に架設したチェーン或いはタイミングベルト１４の適所と上部スライド柱の芯材１２の下端方部とを固定具２０で連結するとともに、接続金具５に固定された中空の脚７内の先端方部にギヤー１１を取り付け、このギャー１１と前記接続金具５内のシャフト１６のギャー１５に架設したチェーン或いはタイミングベルト１７の適所に、適宜な自重を有するバランサー３０を付設したことを特徴とする陸上競技用ハードル。
【請求項２】
前記接続金具５内のシャフト１６の両端に二個のギヤー４０と４５を設けるとともに、脚内先端部にはギャー４１を、下部固定柱内先端にはギャー４９を取り付けて、前記ギャー４１からギャー４０，４９，４５そして４１へと一条のチェーン或いはタイミングベルト４７を架設し、ギャー４１と４０間のチェーン或いはタイミングベルトの適所には適宜な自重を有するバランサー６０を付設し、ギャー４５とギャー４９間のチェーン或いはタイミングベルトの適所と、上部スライド柱の芯材１２の下端部を固定具５０で連結したことを特徴とする請求項１記載の陸上競技用ハードル。
【考案の詳細な説明】
【技術分野】
【０００１】  本考案は陸上競技に使用されるハードルに係り、学校や地域施設のグランド等で使用される他、公式競技の使用にも対応するように考えられたものである。
【背景技術】
【０００２】  陸上競技用ハードルには学校や地域の施設で使用されるものと、公式競技に使用されるものとがある。公式競技に使用されるものは、その構造・寸法・仕上げ・カラーについて規定されていて、特に高さ調節と転倒力条件を満たすために、頂部バーを上方に移動するのに合わせ、基底部位を構成する土台の脚内に収められた錘を、支柱及び土台と脚内に複雑に張られたワイヤーを利用して土台の脚内を移動させるものが公知である。【０００３】  この方法は頂部バーを上方にあげたとき、土台脚内の錘の移動方向がハードルの基部方向では無く、脚の先端部方向に移動するいわゆる逆方向移動となるため、構造が複雑化し、円滑な操作が難しく故障が発生し易いなどの欠点を有していた。
そこで出願人は、先に特開平０９−０８４９６７を発明し、小学生に最適なハードルとして係る点の解決を図った経緯がある。
しかしながら、この発明では成人用ハードルに採用することが出来ず、シンプルな構成で脚内の錘移動が可能な新たな考案が求められている。
【考案の開示】
【考案が解決しようとする課題】
【０００４】  前記出願人の発明によって、小学生用のハードルの使い勝手は従来品に比し著しく向上した。がしかし、成人の競技用ハードルには依然として前記問題が解決されずに存在している。そこで、本考案では、係る問題を解決しようとするものである。
【課題を解決するための手段】
【０００５】上記目的を達成するため本考案は、頂部バーの高さを複数段調節可能とした陸上競技用ハードルにおいて、下端をハードル基部の接続金具に固定した中空の下部固定柱と、該固定柱に摺動自在に嵌合した中空の上部スライド柱で支柱を構成し、前記接続金具内のシャフトの両端と下部固定柱内の上端方部に、それぞれギヤーを取り付け、該ギヤー間に架設したチェーン或いはタイミングベルトの適所と上部スライド柱の芯材の下端方部とを固定具で連結するとともに、接続金具に固定された中空の両脚内の先端方部にギヤーを取り付け、このギャーと、前記接続金具内のギャーに架設したチェーン或いはタイミングベルトの適所に、適宜な自重を有するバランサーを付設して課題を解決するための手段としている。【０００６】  他の手段として、下端をハードル基部の接続金具に固定した中空の下部固定柱と、該固定柱に摺動自在に嵌合した中空の上部スライド柱とで支柱を構成し、前記接続金具内のシャフトの両端には二個のギヤーを、下部固定柱の上端方部には一個のギヤーを、接続金具に固定された中空の脚内の先端方部にも一個のギヤーを設け、これらの各ギャー間にチェーン或いはタイミングベルトを架設し、脚内のギヤーと接続金具内のギヤー間の適所には適宜な自重を有するバランサーが付設され、接続金具内の他方のギヤーと下部固定柱の上端方部ギャー間には適所で上部スライド柱の芯材下端方部と固定具で連結されている。
【考案の効果】
【０００７】  本考案は、内部にシャフトを備えた中空の土台の両端部に設けられた接続金具に固定される中空の脚の先端方部内と、前記接続金具に植設固定された下部固定柱内の先端方部とにギャーを設け、脚先端方部内のギャーと接続金具内のシャフトに設けたギャー間に適宜な自重を有するバランサーを適所に付設したチェーン或いはタイミングベルトを架設し、この接続金具内のギャーと下部固定柱上端方部内のギャー間に、上部スライド柱の芯材と固定する連結具を適所に付設したチェーン或いはタイミングベルトを架設して構成されたものであるから、以下の効果を奏する。【０００８】（１）脚内のバランサーは、ギャーとギャーとの間に架設されたチェーン或いはタイミングベルトに付設されたものなので、反復使用でもバランサーの位置に変化が無く安定した状態で移動するのでハードルが倒伏に至る過程の力に時々によってバラツキ差が発生しない。【０００９】（２）接続金具部内のシャフトに設けられたギャーと、下部固定柱内上端方部に設けられたギャーとに架設されたチェーン或いはタイミングベルトに付設された固定具は、上部スライド柱内に設けられた芯材と連結固定されているので、この上部スライド柱の頂部に取り付けられた頂部バーを上下すれば、これに伴って脚内のバランサーも一緒に、しかも脚先端方向に移動するので、頂部バーの高さとバランサーの位置が比例し、常時安定した状態で移動するので反復使用でもバランサーの位置に変動は無くハードルの倒伏に至る過程の力に差が発生しない。【００１０】（３）頂部バーを上下すれば、連結固定されているチェーン或いはタイミングベルトは同時に上下し、脚内のバランサーの移動も一緒に行われるので取り扱いがすこぶる簡便で使い勝手がよく、施設用の検定品としてばかりでなく、学校などでの使用にも利便性がある。
【考案を実施するための最良の形態】
【００１１】  本考案の陸上競技用ハードルは主要な六つの要素から構成され、
第一の要素は頂部バー１で、後記説明の中空で芯材を有する上部スライド柱の先端部に容易に離脱しないように一体的に取り付けられ、長さが１１８０から１２００Ｃｍで、厚さが１０から２５ｍｍ、幅が７０ｍｍであって、両端２２５ｍｍ地点から１００ｍｍ幅で濃淡の著しい色で塗市されて、例えば黒と白で仕上げられ、その上端は丸みを帯びている。
ここで重要なことは、ハードルに課せられた規定を満足することである。【００１２】  第二の要素は支柱で、後記説明の土台６に備えられた接続金具５に植設固定された中空の下部固定柱４と、該柱４に摺動自在に嵌合して頂部バー１を複数段調節可能とするため上下に移動可能な中空の上部スライド柱２で、支柱を構成している。
この上部スライド柱と前記下部固定柱とは公知の技術手段で頂部バー１を希望の高さ位置に係止孔３を利用して係止状態を保持する。【００１３】  第三の要素は、内部にシャフト１６を有し後記説明の脚７と下部固定柱４とが一体的に固定される接続金具５を両端に備えた土台６で、第四の要素は、前記接続金具５に固定された中空な脚７で、この脚は対向する形で接続金具に取り付けられる。
第五の要素は、接続金具内部のシャフト両端と、下部固定柱の先端方部内と、脚先端方部内とに設けられる各ギャー１１，１５，１９で、第六の要素は、第五の要素の各ギャー間に架設され、適所に適宜な自重を有するバランサー３０や、上部スライド柱２内に備えられる芯材と連結固定される連結具２０を付設したチェーン或いはタイミングベルト１４，１７とで構成される。
【実施例】
【００１４】  図面に示す実施例に基づき本考案を説明すると、本考案の陸上競技用ハードルＡは、主要な六つの要素、即ち、上部スライド柱の先端部に一体的に取り付けられ、長さや幅、塗布される位置と色並びにその幅等の規定がある頂部バー１の第一要素と、
土台６に備えられた接続金具５に固定された中空の下部固定柱４と、この下部固定柱４に摺動自在に嵌合して複数段調節可能とした中空の上部スライド柱２とで構成される第二要素、前記接続金具５に固定され、対向する形を呈する中空な脚７の第三要素、
第四の要素は、脚７と下部固定柱４とを一体的に取り付ける接続金具５を両端に備え、その内部にはシャフト１６を備えた土台、第五の要素は、上部スライド柱の先端方部の内部と、土台内部のシャフト両端と、脚先端方部の内部とに設けられる各ギャーで、第六の部材は、チェーン或いはタイミングベルトであって、第六の要素の各ギャー間に架設され、接続金具と脚のギャー間では適所に適宜な自重を有するバランサー３０が付設され、接続金具と下部固定柱の間には、スライド柱の芯材と連結固定する連結具２０が付設されている。【００１５】  図１は本考案に係る陸上競技用ハードルＡの全体を斜視図で示したもので、中空な土台６の両端には接続金具５を備え、この金具５に中空な脚７が対向する形で固定されるとともに、中空な下部固定柱４が対向して植設固定され、この下部固定柱４に摺動自在に嵌合した中空の上部スライド柱２で支柱を構成し、該上部スライド柱２の先端部に一体的に頂部バー１を設けたもので、頂部バー１は上部スライド柱２の上下移動でその高さを複数段調節可能としている。【００１６】  図中符号３で示されているものは、頂部バー１を希望する高さに固定しておくための下部固定柱４と上部スライド柱２とを係止するための係止孔である。
また、符号８で示された踏み具は、前記下部固定柱４と上部スライド柱２の係止状態を開放する公知のもので、該踏み具８を踏み込んで上部スライド柱２を上下に移動させ希望位置に頂部バーを固定するものである。本考案においてこの部位の技術的構成は公知のものなので詳細な説明は割愛した。【００１７】  図２は本考案に係る陸上競技用ハードルＡの内部全体の構成を示し、中空な土台６内にはシャフト１６を有し、このシャフト１６の両端にはギャー１５を備え、この部位から対向する形で設けられた中空な脚７の先端方部内にギャー１１を設け、このギャー１１と前記ギャー１５との間に、適宜な自重を有するバランサー３０を適所に付設したチェーン或いはタイミングベルト１７を架設している。【００１８】  図１の接続金具５の両端に対向して植設固定された中空の下部固定柱４内の上端方部内に、ギャー１９を備えるとともに、前記ギャー１５とこのギャー１９との間には連結固定具１２を適所に付設したチェーン或いはタイミングベルト１４を架設している。
一方、頂部バー１を一体的に先端部に有し、下部固定柱４に摺動自在に嵌合した中空な上部スライド柱２の内部には芯材１２を備えていて、この芯材１２と前記チェーン或いはタイミングベルト１４とは連結固定具２０で連結されている。【００１９】  図３は図２で説明の本考案に係る陸上競技用ハードルＡ内部の機能構成を示したもので、シャフト１６の両端に設けられたギャー１５と、脚先端方内に備えたギャー１１とに、適宜な自重を有するバランサー３０を適所に付設したチェーン或いはタイミングベルト１７を架設している。したがって、図中矢印方向にギャー１５が回転すれば、チェーン或いはタイミングベルト１７は図中矢印方向に進行し、これに伴い付設されたバランサー３０は脚先端部方向に移動する。【００２０】  図４は、これまで図２と図３で説明してきた実施例とは一部異なる構成の実施例を示すものである。本図で示す実施例は、シャフト１６の両端にそれぞれ二個のギャー４０，４５を設けるとともに、脚先端方部内にはギャー４１を、下部固定柱先端方部にはギャー４９を取り付けて、前記ギャー４１からギャー４０，４９，４５そして４１へと１条のチェーン或いはタイミングベルト４７を架設したものである。【００２１】  このチェーン或いはタイミングベルトの架設において、ギャー４１と４０間の適所には、適宜な自重を有するバランサー６０を、ギャー４５と４９の間の適所には、上部スライド柱内の芯材１２と連結固定する連結固定具５０を付設している。
したがって、図中矢印で示したようにこの連結固定具５０が上昇すれば、バランサー６０は脚前方に移動し、頂部バーの高さとこのハードルは倒伏復元力が調整され規定を満足するものとなる。
【産業上の利用可能性】
【００２２】  以上説明のように、本考案は頂部バーを希望する高さに係止固定し保持する手段は公知の技術を用いながらも、陸上競技用ハードルで最も重要な要素、即ち、頂部バーの中央部に３，６００ｋｇの力が加えられたときに倒れる倒伏に関する規定をクリアできるばかりでなく、数多い競技での使用による反復使用でも常時安定した状態であり続ける。
それは、要所に備えたギャーとギャーに架設されたチェーン或いはタイミングベルトに適宜な自重を有するバランサーを設けてあるので、頂部バーの上下動に伴ってバランサーが脚先端方部に移動すると言うすこぶるシンプルな構成であることが要因である。もって使い勝手が良好であるばかりでなく故障が従来品に比し激減が見込まれ、且つ此れと言って製造上問題となる点も無いことから産業上の利用可能性は頗る高い。
【図面の簡単な説明】
【００２３】
【図１】本考案の陸上競技用ハードルの全体を説明する図である。
【図２】本考案陸上競技用ハードルのバー上下動の作動を説明する図である。
【図３】図２におけるバー上下動の作動を詳細に説明する図である。
【図４】図２とは別異の実施例を説明する図である。
【符号の説明】
【００２４】Ａ本考案陸上競技用ハードル
１頂部バー    ２上部スライド柱    ３高さ係止孔    ４下部固定柱    ５接続金具
６土台    ７脚    ８踏み具      ２０連結固定具    ３０バランサー
１１，１５，１９，ギャー    １４，１７チェーン或いはタイミングベルト
１６シャフト
【図１】
0003124567.tif 000003
【図２】
0003124567.tif 000004
【図３】
0003124567.tif 000005
【図４】
0003124567.tif 000006